(57)【要約】【課題】  ランナーとスタッドの差し込み量を超える鉛直変位が発生してもスタッドが外れないスタッド倒壊防止金具及びスタッド倒壊防止金具の取付方法並びに間仕切下地構造を提供すること。【解決手段】  ランナー２に差し込まれるスタッド３の端部に装着される本体部１０Ａと、ランナー２に本体部１０Ａを固定する固定部２０Ａと、スタッド３の鉛直方向Ｚへの変動を許容し少なくともスタッド３の端部のランナー２への差し込み量を超えた変動時に本体部１０Ａをスタッド３に係合させる係合機構３０Ａとを備える。【選択図】    図３
2017008713.tif 000002
【特許請求の範囲】
【請求項１】
ランナーに差し込まれるスタッドの端部に装着される本体部と、
前記ランナーに前記本体部を固定する固定部と、
前記スタッドの鉛直方向への変動を許容し少なくとも前記スタッドの端部のランナーへの差し込み量を超えた変動時に前記本体部を前記スタッドに係合させる係合機構とを備えたスタッド倒壊防止金具。
【請求項２】
前記本体部は、対向する一対のフランジとこれらフランジを連結するウェブよりなる平面視略コの字状を呈し、前記固定部は、前記本体部の一対のフランジ及び前記本体部のウェブの少なくとも１つの上端に設けられ、前記本体部の一対のフランジは、前記スタッドの一対のフランジに沿って位置し且つスタッドの軸方向にスライド可能であり、前記本体部の一対のフランジ及び前記本体部のウェブが前記係合機構を構成する請求項１記載のスタッド倒壊防止金具。
【請求項３】
前記本体部のウェブは、前記スタッドの内側で前記スタッドのウェブに沿って位置し、前記本体部の一対のフランジは、その先端に前記スタッドのフランジの端部形状に沿う湾曲部を有し、前記湾曲部は前記スタッドのフランジの端部に係合する請求項２記載のスタッド倒壊防止金具。
【請求項４】
前記本体部のウェブは、前記スタッドの内側で前記スタッドの開口部を跨ぐように位置し、前記本体部のフランジの端部は前記スタッドの角部に係合する請求項２記載のスタッド倒壊防止金具。
【請求項５】
前記本体部のウェブは、前記スタッドの外側で前記スタッドのウェブに沿って位置し、前記本体部の一対のフランジは、その先端に前記スタッドのフランジの端部形状に沿う湾曲部を有し、前記湾曲部は前記スタッドのフランジの端部に係合する請求項２記載のスタッド倒壊防止金具。
【請求項６】
前記本体部のウェブは、前記スタッドの外側で前記スタッドの開口部を跨ぐように位置し、前記本体部の一対のフランジは、その先端に前記スタッドのフランジの端部形状に沿う湾曲部を有し、前記湾曲部は前記スタッドの角部に係合する請求項２記載のスタッド倒壊防止金具。
【請求項７】
前記本体部は、各々対向する一対の第一面状部及び一対の第二面状部よりなる平面視略ロの字状を呈し、前記固定部は、一対の第一、第二面状部の少なくとも１つの上端に設けられ、前記一対の第一、第二面状部は、前記スタッドの外周面に沿って位置し且つスタッドの軸方向にスライド可能であり、前記一対の第一、第二面状部が前記係合機構を構成する請求項１記載のスタッド倒壊防止金具。
【請求項８】
前記本体部は、前記固定部により連結固定された対向する一対の板状部を備え、前記一対の板状部は、前記スタッドの内側で前記スタッドの一対のフランジに沿って位置し且つスタッドの軸方向にスライド可能であり、前記一対の板状部が前記係合機構を構成する請求項１記載のスタッド倒壊防止金具。
【請求項９】
前記一対の板状部の側端部は、前記スタッドのフランジの端部及び前記スタッドの角部の少なくとも一方に係合する請求項８記載のスタッド倒壊防止金具。
【請求項１０】
前記本体部は、前記固定部により連結固定された対向する一対の板状部を備え、前記一対の板状部は、前記スタッドの一対のフランジの間でそれらフランジに直交して位置し且つスタッドの軸方向にスライド可能であり、前記一対の板状部が前記係合機構を構成する請求項１記載のスタッド倒壊防止金具。
【請求項１１】
前記本体部は、前記スタッドのウェブ及び一対のフランジの少なくとも１つにスタッドの軸方向にスライド可能に挟持するクリップ部をさらに有する請求項２〜１０のいずれかに記載のスタッド倒壊防止金具。
【請求項１２】
前記本体部は、屈曲部により前記スタッドの軸方向に段違いで連続する上段部及び下段部を有し、前記屈曲部はその側部に前記スタッドのフランジの先端をスタッドの軸方向にスライド可能に嵌入させる凹部を有し、前記上段部、前記下段部及び前記凹部が前記係合機構を構成する請求項１記載のスタッド倒壊防止金具。
【請求項１３】
前記本体部は、前記スタッドのウェブ及び前記スタッドの一対のフランジの少なくとも１つにスタッドの軸方向にスライド可能に挟持するクリップ部を有し、前記クリップ部が前記係合機構を構成する請求項１記載のスタッド倒壊防止金具。
【請求項１４】
前記本体部は、前記スタッドのウェブに対向する板状を呈し、前記本体部は前記スタッドの外側で前記スタッドのウェブの突出部の間に位置する請求項１３記載のスタッド倒壊防止金具。
【請求項１５】
前記本体部は、前記スタッドのウェブに対向する板状を呈し、その側端部に前記スタッドの内側で前記スタッドの角部に係合させる折曲部を有し、前記折曲部は前記連結部に係合する請求項１３記載のスタッド倒壊防止金具。
【請求項１６】
前記本体部は、前記スタッドのウェブに対向する板状を呈し、その一端を上方へ向けて屈曲し且つ前記スタッドのウェブの貫通孔を貫通する屈曲部を有し、前記屈曲部が前記係合機構を構成する請求項１記載のスタッド倒壊防止金具。
【請求項１７】
前記固定部は、前記スタッドの水平方向への変動を許容する水平方向変動許容機構を有する請求項１〜１６のいずれかに記載のスタッド倒壊防止金具。
【請求項１８】
前記水平方向変動許容機構は、前記スタッドの長手方向に沿う長孔である請求項１７記載のスタッド倒壊防止金具。
【請求項１９】
前記固定部は前記スタッドの内側に位置し、前記固定部はその中央の１カ所に前記長孔を有する請求項１８記載のスタッド倒壊防止金具。
【請求項２０】
請求項１〜１９のいずれかに記載のスタッド倒壊防止金具の取付方法であって、
前記本体部を前記スタッドの端部にスタッドの軸方向にスライド可能に装着し、
前記本体部を前記ランナーに対しランナーの長手方向への変動を許容するよう固定するスタッド倒壊防止金具の取付方法。
【請求項２１】
上下に配設された一対のランナーと、前記一対のランナーの間で適宜間隔をおいて端部がランナーに差し込まれたスタッドとを備えた間仕切下地構造であって、
上部ランナーに差し込まれるスタッドの端部に装着される本体部と、
前記上部ランナーに前記本体部を固定する固定部と、
前記スタッドの鉛直方向への変動を許容し少なくとも前記スタッドの端部のランナーへの差し込み量を超えた変動時に前記本体部を前記スタッドに係合させる係合機構とを有するスタッド倒壊防止金具を備え、
前記上部ランナーと前記スタッドとを前記スタッド倒壊防止金具を介して連結した間仕切下地構造。
【発明の詳細な説明】
【技術分野】
【０００１】
本発明は、スタッド倒壊防止金具及びスタッド倒壊防止金具の取付方法並びに間仕切下地構造に関する。
【背景技術】
【０００２】
地震時に建築物が受ける荷重には、一般的に知られる水平荷重ともう一つ、鉛直方向の荷重が知られている。建築物に鉛直方向の力が働いた場合、自重＋αの力が掛かり、梁・スラブはたわみという形で変形する。間仕切材等の場合、その部材強度により地震水平力に耐え得るように確認を行うが、鉛直変位量に関しては鋼製間仕切材の構造上、未対策である。
【０００３】
ＪＩＳ  Ａ  ６５１７に記載される鋼製間仕切下地材は、図２７（ａ）に示すように、ランナー２と呼ばれるレール材にスタッド３を差し込む仕様となっており、スタッド３はランナー２に固定されない。これによって面内方向の層間変位に追従するのだが、同図（ｂ）に示すように、ランナー２への差し込み量Ｄを超える鉛直方向Ｚの変位量ｄｚが発生すると、スタッド３はランナー２から外れ、間仕切は倒壊してしまう。
【０００４】
さらに、図２８（ａ）に示すように、スタッド３はランナー２に差し込まれているだけで固定されていないため、水平荷重（図中Ｘ方向）が負荷されると、同図（ｂ）に示すように、スタッド３にねじれや変形が生じると共に、ランナー２のフランジ２ｂも変形し、ランナー２とスタッド３との差込（嵌合）状態が緩む。そして、上述の鉛直方向Ｚの変動と相俟って、スタッド３がランナー２から脱落するおそれがあった。
【先行技術文献】
【非特許文献】
【０００５】
【非特許文献１】ＪＩＳ  Ａ  ６５１７（鋼製間仕切下地材）
【発明の概要】
【発明が解決しようとする課題】
【０００６】
かかる従来の実情に鑑みて、本発明は、ランナーとスタッドの差し込み量を超える鉛直変位が発生してもスタッドの脱落を防止し得るスタッド倒壊防止金具及びスタッド倒壊防止金具の取付方法並びに間仕切下地構造を提供することを目的とする。
【課題を解決するための手段】
【０００７】
上記目的を達成するため、本発明に係るスタッド倒壊防止金具の特徴は、ランナーに差し込まれるスタッドの端部に装着される本体部と、前記ランナーに前記本体部を固定する固定部と、前記スタッドの鉛直方向への変動を許容し少なくとも前記スタッドの端部のランナーへの差し込み量を超えた変動時に前記本体部を前記スタッドに係合させる係合機構とを備えたことにある。
【０００８】
上記特徴構成によれば、ランナーに差し込まれるスタッドの端部に装着される本体部はランナーに固定されるので、鉛直方向の荷重に対する強度が向上し、スタッドのランナーからの脱落は抑制される。しかも、係合機構は、スタッドの鉛直方向への変動を許容し少なくともスタッドの端部のランナーへの差し込み量を超えた変動時に本体部をスタッドに係合させるので、差し込み量を超える鉛直方向への変位が生じたとしても、その変位に対しスタッドを鉛直方向に追従させることでスタッドの脱落を防止できる。さらに、固定部を介してランナーと連結する本体部は係合機構によりスタッドに係合するので、水平荷重に対する強度も向上し、スタッドのねじれや変形が抑制され、変形によるスタッドの脱落をも防止できる。
【０００９】
前記本体部は、対向する一対のフランジとこれらフランジを連結するウェブよりなる平面視略コの字状を呈し、前記固定部は、前記本体部の一対のフランジ及び前記本体部のウェブの少なくとも１つの上端に設けられ、前記本体部の一対のフランジは、前記スタッドの一対のフランジに沿って位置し且つスタッドの軸方向にスライド可能であり、前記本体部の一対のフランジ及び前記本体部のウェブが前記係合機構を構成するとよい。これにより、本体部の一対のフランジが鉛直方向の変位に対しスタッドを追従させるので、スタッドのランナーからの脱落を防止できる。しかも、係合機構を構成する本体部の一対のフランジ及びウェブによりスタッドのねじれや変形が抑制され、スタッドをより強固にランナー内に保持できる。
【００１０】
係る場合、前記本体部のウェブは、前記スタッドの内側で前記スタッドのウェブに沿って位置し、前記本体部の一対のフランジは、その先端に前記スタッドのフランジの端部形状に沿う湾曲部を有し、前記湾曲部は前記スタッドのフランジの端部に係合するとよい。本体部の一対のフランジの先端がスタッドのフランジの端部形状に沿う湾曲部であるので、湾曲部とスタッドのフランジの端部との係合により、スタッドのねじれや変形をさらに抑制できる。
【００１１】
また、前記本体部のウェブは、前記スタッドの内側で前記スタッドの開口部を跨ぐように位置し、前記本体部のフランジの端部は前記スタッドの角部に係合してもよい。本体部のウェブをスタッドの内側に位置させるので、ランナーの寸法（幅）をスタッド倒壊防止金具に合わせて変更する必要がなく、汎用性が高い。しかも、本体部のフランジの端部とスタッドの角部との係合により、スタッドのねじれや変形をさらに抑制できる。
【００１２】
また、前記本体部のウェブは、前記スタッドの外側で前記スタッドのウェブに沿って位置し、前記本体部の一対のフランジは、その先端に前記スタッドのフランジの端部形状に沿う湾曲部を有し、前記湾曲部は前記スタッドのフランジの端部に係合する構成とすることも可能である。係る構成においても、湾曲部とスタッドのフランジの端部との係合により、スタッドのねじれや変形をさらに抑制できる。
【００１３】
また、前記本体部のウェブは、前記スタッドの外側で前記スタッドの開口部を跨ぐように位置し、前記本体部の一対のフランジは、その先端に前記スタッドのフランジの端部形状に沿う湾曲部を有し、前記湾曲部は前記スタッドの角部に係合する構成とすることも可能である。係る構成においても、湾曲部とスタッドの角部との係合により、スタッドのねじれや変形をさらに抑制できる。
【００１４】
前記本体部は、各々対向する一対の第一面状部及び一対の第二面状部よりなる平面視略ロの字状を呈し、前記固定部は、一対の第一、第二面状部の少なくとも１つの上端に設けられ、前記一対の第一、第二面状部は、前記スタッドの外周面に沿って位置し且つスタッドの軸方向にスライド可能であり、前記一対の第一、第二面状部が前記係合機構を構成してもよい。これにより、一対の第一、第二面状部が鉛直方向の変位に対しスタッドを追従させるので、スタッドのランナーからの脱落を防止できる。しかも、係合機構を構成する一対の第一、第二面状部によりスタッドのねじれや変形が抑制され、スタッドをより強固にランナー内に保持できる。
【００１５】
前記本体部は、前記固定部により連結固定された対向する一対の板状部を備え、前記一対の板状部は、前記スタッドの内側で前記スタッドの一対のフランジに沿って位置し且つスタッドの軸方向にスライド可能であり、前記一対の板状部が前記係合機構を構成することも可能である。一対の板状部が鉛直方向の変位に対しスタッドを追従させるので、スタッドのランナーからの脱落を防止できる。しかも、係合機構を構成する一対の板状部によりスタッドのねじれや変形が抑制され、スタッドをより強固にランナー内に保持できる。
【００１６】
係る場合、前記一対の板状部の側端部は、前記スタッドのフランジの端部及び前記スタッドの角部の少なくとも一方に係合するとよい。側端部とフランジの端部又はスタッドの角部との係合により、スタッドのねじれや変形をさらに抑制できる。
【００１７】
前記本体部は、前記固定部により連結固定された対向する一対の板状部を備え、前記一対の板状部は、前記スタッドの一対のフランジの間でそれらフランジに直交して位置し且つスタッドの軸方向にスライド可能であり、前記一対の板状部が前記係合機構を構成することも可能である。係る構成においても、一対の板状部が鉛直方向の変位に対しスタッドを追従させると共にスタッドのねじれや変形を抑制するので、スタッドをより強固にランナー内に保持できる。
【００１８】
上記いずれかに記載の特徴構成において、前記本体部は、前記スタッドのウェブ及び一対のフランジの少なくとも１つにスタッドの軸方向にスライド可能に挟持するクリップ部をさらに有するとよい。これにより、さらにスタッドのねじれや変形を抑制することができる。
【００１９】
前記本体部は、屈曲部により前記スタッドの軸方向に段違いで連続する上段部及び下段部を有し、前記屈曲部はその側部に前記スタッドのフランジの先端をスタッドの軸方向にスライド可能に嵌入させる凹部を有し、前記上段部、前記下段部及び前記凹部が前記係合機構を構成することも可能である。これにより、凹部が鉛直方向の変位に対しスタッドを追従させるので、スタッドのランナーからの脱落を防止できる。しかも、係合機構を構成する上段部、下段部及び凹部によりスタッドのねじれや変形が抑制され、スタッドをより強固にランナー内に保持できる。
【００２０】
前記本体部は、前記スタッドのウェブ及び前記スタッドの一対のフランジの少なくとも１つをスタッドの軸方向にスライド可能に挟持するクリップ部を有し、前記クリップ部が前記係合機構を構成することも可能である。これにより、クリップ部が鉛直方向の変位に対しスタッドを追従させるので、スタッドのランナーからの脱落を防止できる。しかも、係合機構を構成するクリップ部によりスタッドのねじれや変形が抑制され、スタッドをより強固にランナー内に保持できる。
【００２１】
係る場合、前記本体部は、前記スタッドのウェブに対向する板状を呈し、前記本体部は前記スタッドの外側で前記スタッドのウェブの突出部の間に位置するとよい。本体部のウェブをスタッドの外側でスタッドのウェブの突出部の間に位置させるので、さらにスタッドのねじれや変形を抑制することができる。
【００２２】
また、前記本体部は、前記スタッドのウェブに対向する板状を呈し、その側端部に前記スタッドの内側で前記スタッドの角部に係合させる折曲部を有し、前記折曲部は前記角部に係合してもよい。折曲部と角部との係合により、スタッドのねじれや変形をさらに抑制できる。
【００２３】
前記本体部は、前記スタッドのウェブに対向する板状を呈し、その一端を上方へ向けて屈曲し且つ前記スタッドのウェブの貫通孔を貫通する屈曲部を有し、前記屈曲部が前記係合機構を構成するとよい。これにより、スタッドのウェブの貫通孔を貫通する屈曲部が鉛直方向の変位に対しスタッドを追従させるので、スタッドのランナーからの脱落を防止できる。しかも、係合機構を構成する屈曲部によりスタッドのねじれや変形が抑制され、スタッドをより強固にランナー内に保持できる。
【００２４】
また、前記固定部は、前記スタッドの水平方向への変動を許容する水平方向変動許容機構を有するとよい。係る場合、前記水平方向変動許容機構は、前記スタッドの長手方向に沿う長孔であるとよい。
【００２５】
スタッド上端に、ランナーへの差し込み量を超える鉛直変位量が発生した場合を想定し、その変位量をカバーする差し込み金物を取付け、スラブ面に金物を固定する。この際、金物はスタッド内でスライドするようにし、固定されていない。また、スラブ面への固定部も下穴等の長穴化等で、層間変位量に対応可能である。この状態で鉛直変位が発生しても、スタッドは保持されるので間仕切壁の倒壊を防ぐ事が可能となる。
【００２６】
さらに、前記固定部は前記スタッドの内側に位置し、前記固定部はその中央の１カ所に前記長孔を有するとよい。水平荷重によって生じるスタッドのねじれは、長孔を貫通し固定部とランナーを連結する連結部材を中心に生じる。そのため、ねじれの中心から離隔するに従い、ねじれによる変形が生じやすくなる。よって、固定部をスタッドの内側に位置させると共に固定部の中央の１カ所に長孔を設けることで、スタッドに生じるねじれの荷重を抑制することができ、ねじれ（変形）をさらに効率よく抑制することが可能となる。
【００２７】
上記目的を達成するため、本発明に係るスタッド倒壊防止金具の取付方法の特徴は、上記いずれかに記載のスタッド倒壊防止金具の取付方法において、前記本体部を前記スタッドの端部にスタッドの軸方向にスライド可能に装着し、前記本体部を前記ランナーに対しランナーの長手方向への変動を許容するよう固定することにある。
【００２８】
上記目的を達成するため、本発明に係る間仕切下地構造の特徴は、上下に配設された一対のランナーと、前記一対のランナーの間で適宜間隔をおいて端部がランナーに差し込まれたスタッドとを備えた構成において、上部ランナーに差し込まれるスタッドの端部に装着される本体部と、前記上部ランナーに前記本体部を固定する固定部と、前記スタッドの鉛直方向への変動を許容し少なくとも前記スタッドの端部のランナーへの差し込み量を超えた変動時に前記本体部を前記スタッドに係合させる係合機構とを有するスタッド倒壊防止金具を備え、前記上部ランナーと前記スタッドとを前記スタッド倒壊防止金具を介して連結したことにある。
【発明の効果】
【００２９】
上記本発明に係るスタッド倒壊防止金具の特徴によれば、ランナーとスタッドの差し込み量を超える鉛直変位が発生してもスタッドの倒壊を防止することが可能となった。
【００３０】
本発明の他の目的、構成及び効果については、以下の発明の実施の形態の項から明らかになるであろう。
【図面の簡単な説明】
【００３１】
【図１】本発明に係るスタッド倒壊防止金具を用いる間仕切下地材の一例を示す斜視図である。
【図２】本発明の第一実施形態に係るスタッド倒壊防止金具をスタッドの端部に装着した状態を示す図であり、（ａ）は前方斜視図、（ｂ）は後方斜視図、（ｃ）は平面図である。
【図３】（ａ）は図２のスタッド倒壊防止金具の取付状態を示す斜視図、（ｂ）は鉛直方向の負荷が生じた時の状態を示す斜視図、（ｃ）はスタッド倒壊防止金具の斜視図である。
【図４】第一実施形態の第一改変例を示す図２相当図である。
【図５】第一実施形態の第一改変例を示す図３相当図である。
【図６】スタッドに生じるねじれと固定部の位置との関係を説明する説明図である。
【図７】第一実施形態の第二改変例を示す図２相当図である。
【図８】第一実施形態の第二改変例を示す図３相当図である。
【図９】第一実施形態の第三改変例を示す図２相当図である。
【図１０】第一実施形態の第三改変例を示す図３相当図である。
【図１１】本発明の第二実施形態を示す図２相当図である。
【図１２】本発明の第二実施形態を示す図３相当図である。
【図１３】第二実施形態の改変例を示す図２相当図である。
【図１４】第二実施形態の改変例を示す図３相当図である。
【図１５】本発明の第三実施形態を示す図２相当図である。
【図１６】本発明の第三実施形態を示す図３相当図である。
【図１７】第三実施形態の改変例を示す図２相当図である。
【図１８】第三実施形態の改変例を示す図３相当図である。
【図１９】本発明の第四実施形態を示す図２相当図である。
【図２０】本発明の第四実施形態を示す図３相当図である。
【図２１】第四実施形態の改変例を示す図２相当図である。
【図２２】第四実施形態の改変例を示す図３相当図である。
【図２３Ａ】本発明のさらに他の実施形態を示す図である。
【図２３Ｂ】本発明のさらに他の実施形態を示す図である。
【図２４】本発明のさらに他の実施形態を示す図である。
【図２５】本発明のさらに他の実施形態を示す図である。
【図２６】本発明のさらに他の実施形態を示す図である。
【図２７】従来のスタッドのランナーへの差し込み状態を示す斜視図であり、（ａ）は取付状態を示す図、（ｂ）は鉛直方向の負荷が生じた時の状態を示す図である。
【図２８】水平荷重が生じた状態を説明する図であり、（ａ）は正常な取付状態を示す図、（ｂ）はねじれの負荷が生じた時の状態を示す図である。
【発明を実施するための形態】
【００３２】
次に、図１〜１０を参照しながら、本発明の第一実施形態及びその改変例をさらに詳しく説明する。
本発明に係るスタッド倒壊防止金具１は、例えば図１に示す如く、上下に配設された一対のランナー２と、このランナー２，２間で適宜間隔を置いて差し込まれた複数のスタッド３，３・・・よりなる間仕切下地材１００に主に用いられる。
なお、図１の例では、スタッド３に振れ止め４が貫通されているが、この態様に限られるものではない。また、ランナー２及びスタッド３には、例えば断面略コの字状のチャンネル材が用いられる。ランナー２のフランジ２ｂの高さは、想定する鉛直変位に応じて設定すればよく、特にランナー２（レール材）の規定の寸法に限定されるものではない。
【００３３】
本実施形態におけるスタッド３は、図２，３に示すように、大略、ウェブ３ａと一対のフランジ３ｃ，３ｃからなる。フランジ３ｃの先端には、例えば略半円状に湾曲させた湾曲部３ｄが設けられている。また、スタッド３の角部（ウェブ３ａとフランジ３ｃとの連結部）の内側には、凹部３ｅが形成されている。この凹部３ｅにより、ウェブ３ａの側端部は、ウェブ３ａから外方に向けて突出する突出部３ｇとなる。
【００３４】
本発明の第一実施形態に係るスタッド倒壊防止金具１Ａは、図２，３に示すように、ランナー２に差し込まれるスタッド３の上端部に装着される本体部１０Ａと、ランナー２に本体部１０Ａを固定する固定部２０Ａを備える。本実施形態において、本体部１０Ａと固定部２０Ａとは、例えば略矩形の１枚の金属板を略直角に折り曲げて形成されている。
【００３５】
本体部１０Ａは、図２，３に示すように、平面視略コの字状を呈し、本体ウェブ１３と一対の本体フランジ１４，１４を備える。本体フランジ１４は、その先端にスタッド３の先端３ｄに沿うように本体湾曲部１４ａを有する。よって、本体部１０Ａは、一対の本体フランジ１４，１４により鉛直方向Ｚへスライド可能にスタッド３に装着され、ランナー２の長手方向Ｙに直交する水平方向Ｘへの動きを抑制する。
【００３６】
固定部２０Ａは、図２，３に示すように、略中央部１カ所にランナー２の長手方向Ｙに沿う長孔２１が形成されている。固定部２０Ａは平板状を呈し、長孔２１を介して例えばピンやボルトナット等の連結部材２９でランナー２のウェブ２ａに連結固定される。これにより、スタッド３のランナー２の長手方向Ｙに沿う水平方向への変動（層間変位）を許容する。すなわち、この長孔２１が、水平方向変動許容機構として機能する。また、本実施形態における固定部２０Ａは、スタッド３の内側に位置し、長孔２１の中心Ｃとフランジ３の中心軸Ａとを略一致させてある。
【００３７】
図３（ａ）に示すように、鉛直変位が発生していない状態では、本体部１０Ａがスタッド３の内側に差込量Ｄで嵌入（装着）されており、本体ウェブ１３はウェブ３ａに沿って位置すると共に本体フランジ１４はフランジ３ｃに沿って位置している。これにより、スタッド３は、一対の本体フランジ１４，１４により鉛直方向Ｚ（スタッド３の軸方向）にスライド可能となる。地震等により鉛直変位が発生すると、本体部１０Ａとスタッド３との対向（重なり）部分の高さｈａが、同図（ｂ）に示すように、鉛直方向Ｚへの変動を許容する。仮に差込量Ｄより大きい鉛直変位が生じても、その変位量が少なくとも対向部分の高さｈａより小さければ、本体部１０Ａによってスタッド３は保持されるので、間仕切壁１００の倒壊を防ぐことができる。本実施形態では、本体部１０Ａの本体ウェブ１３と一対の本体フランジ１４，１４が係合機構３０Ａを構成する。
【００３８】
また、スタッド３に水平荷重が負荷されたとしても、本体ウェブ１３とウェブ３ａ及び本体フランジ１４とフランジ３ｃが互いに密接して位置（対向）するので、本体ウェブ１３及び一対の本体フランジ１４，１４によりスタッド３のねじれや変形が抑制される。さらに、本体湾曲部１４ａは湾曲部３ｄに沿う形状であり、互いに係合する。これにより、さらに強固にスタッド３のねじれが抑制される。従って、スタッド３のランナー２からの脱落が防止され、間仕切壁（間仕切下地構造）１００の耐震性が向上する。
【００３９】
ここで、第一実施形態の改変例について説明する。なお、以下の改変例及び他の実施形態並びにその改変例において、上記第一実施形態と同様の部材等には同一の符号を付してある。
図４，５に示す第一改変例は、固定部２０Ａ’がスタッド３の外側に位置する点で上記実施形態と異なり、他は同様である。ところで、水平荷重によって生じるスタッド３のねじれは、固定部２０Ａとランナー２とを連結する連結部材２９が中心に生じる。図６に示すように、第一改変例の中心Ｃ’はスタッド３の中心軸Ａと一致しないが、第一実施形態の中心Ｃは中心軸Ａと一致する。ここで、ねじれの中心Ｃから離隔するに従い、スタッド３に掛かるねじれの力は大きくなる。よって、ねじれの中心Ｃから最も離隔したフランジ３の先端３ｄ近傍との距離Ｌがより大きい第一改変例（図中符号Ｌ’）の方が、ねじれや変形が生じやすい。従って、上記第一実施形態の如く、固定部２０Ａをスタッド３の内側に位置させて、スタッド３の中心軸Ａと長孔２１の中心を一致させることで、さらにスタッド３のねじれや変形を抑制できる。
【００４０】
図７，８に示す第二改変例は、本体ウェブ１３をスタッド３の開口部３ｆを跨ぐように位置させる点で上記第一実施形態及び第一改変例と異なる。この例では、本体フランジ１４の先端１４ａ’を湾曲させておらず、先端１４ａ’を凹部３ｅに嵌入（係合）させることで、さらにスタッド３のねじれや変形を抑制する。また、図９，１０に示す第三改変例は、固定部２０Ａ’がスタッド３の外側に位置する点で上記第二改変例と異なる。いずれの改変例においても、本体部１０Ａとスタッド３との対向（重なり）部分の高さｈａがスタッド３の鉛直方向Ｚへの変動を許容し、本体ウェブ１３及び一対の本体フランジ１４，１４がスタッド３のねじれや変形を抑制する。
【００４１】
第二実施形態に係るスタッド倒壊防止金具１Ｂは、図１１，１２に示すように、本体部１０Ｂの略中央部に屈曲形成した屈曲部１６を有し、その屈曲部１６の両側部には凹部１７が形成されている。また、屈曲部１６を挟んで上段部１８と下段部１９とは、ランナー２の長手方向Ｙに対し段違いであり、スタッド２の軸方向に連続する。これにより、凹部１７をフランジ３ｃの先端３ｄに嵌入させて、上段部１８を先端３ｄの外面に当接させると共に下段部１９を先端３ｄの内面に当接させることができる。よって、本体部１０Ｂは、凹部１７により鉛直方向Ｚへスライド可能にスタッド３に装着され、水平方向Ｘへの動きを抑制する。なお、他の点は、第一実施形態と同様である。
【００４２】
図１２（ａ）に示すように、鉛直変位が発生していない状態では、上段部１８及び下段部１９によって本体部１０Ｂとスタッド３とは係合している。地震等により鉛直変位が発生すると、同図（ｂ）に示すように、本体部１０Ｂの高さｈｂが鉛直方向Ｚへの変動を許容する。このように、上段部１８及び下段部１９がスタッド３のフランジ３ｃの先端を挟持（係合）してスタッド３が保持されるので間仕切壁１００の倒壊を防ぐことができる。本実施形態では、本体部１０Ｂの凹部１７、上段部１８及び下段部１９が係合機構３０Ｂを構成する。さらに、スタッド３に水平荷重が負荷されたとしても、凹部１７を介して上段部１８と下段部１９とで先端３ｄを挟持するので、スタッド３のねじれや変形が抑制される。
【００４３】
また、図１３，１４に示す第二実施形態の改変例では、固定部２０Ｂ’をスタッド３の外側に位置させてある点で、上記第二実施形態と異なるが、他は同様である。また、第二実施形態及びその改変例において、上段部１８を先端３ｄの内面に当接させると共に下段部１９を先端３ｄの外面に当接させる態様も可能である。なお、第二実施形態では、凹部１７を先端３ｄに係合させればよいので、間仕切壁１００を構築した後にスタッド倒壊防止金具１Ｂを装着可能である。
【００４４】
第三実施形態に係るスタッド倒壊防止金具１Ｃは、図１５，１６に示すように、板状の本体部１０Ｃにスタッド３のウェブ３ａを挟持するクリップ部１５を備える。また、本体部１０Ｃはウェブ３ａの外面に密接すると共に、ウェブ３ａの両側端部に位置する凹部３ｅによって外面に形成される突出部３ｇの間に挿通され、本体部１０Ｃの両側部と突出部３ｇとが対向する。よって、本体部１０Ｃは、クリップ部１５により鉛直方向Ｚへスライド可能にスタッド３に装着され、水平方向Ｘへの動きを抑制する。なお、他の点は、第一実施形態と同様である。
【００４５】
図１６（ａ）に示すように、鉛直変位が発生していない状態では、クリップ部１５により本体部１０Ｃとスタッド３とは係合している。地震等により鉛直変位が発生すると、同図（ｂ）に示すように、クリップ部１５の高さ（差込深さ）ｈｃが鉛直方向Ｚへの変動を許容する。このように、クリップ部１５によってスタッド３は保持されるので、間仕切壁１００の倒壊を防ぐことができる。本実施形態では、本体部１０Ｃのクリップ部１５が係合機構３０Ｃを構成する。さらに、スタッド３に水平荷重が負荷されたとしても、クリップ部１５がウェブ３ａを挟持するので、スタッド３のねじれや変形を抑制する。なお、図１７，１８に示す第三実施形態の改変例では、固定部２０Ｃ’をスタッド３の外側に位置させてある点で、上記第三実施形態と異なるが、他は同様である。
【００４６】
第四実施形態に係るスタッド倒壊防止金具１Ｄは、図１９，２０に示すように、本体部１０Ｄの下端部に上方に向けて折り曲げて形成された折曲部１１を有する。本実施形態では、スタッド３のウェブ３ａに折曲部１１を挿通し係合させるための略矩形の貫通孔３ｂが形成されている。これにより、本体部１０Ｄは、ランナー２の長手方向Ｙに直交する水平方向Ｘへの動きを抑制する。
【００４７】
図２０（ａ）に示すように、鉛直変位が発生していない状態では、折曲部１１がスタッド３の貫通孔３ｂに挿通されている。地震等により鉛直変位が発生すると、貫通孔３ｂの高さｈｄが、鉛直方向Ｚへの変動を許容する。そして、鉛直変位がさらに大きくなると、同図（ｂ）に示すように、折曲部１１の基端部１２と貫通孔３ｂの上縁とが係合し、鉛直方向Ｚへの変動が制限される。これにより、鉛直変位が発生しても、スタッド３は保持されるので間仕切壁の倒壊を防ぐことができる。本実施形態では、折曲部１１が係合機構３０Ａを構成する。さらに、スタッド３に水平荷重が負荷されたとしても、折曲部１１を貫通孔３ｂに挿通してあるので、折曲部１１によりスタッド３のねじれや変形が抑制される。
【００４８】
なお、図２１，２２に示す第四実施形態の改変例では、固定部２０Ｄ’がスタッド３の外側に位置する点で上記第四実施形態と異なるが、他は同様である。また、第四実施形態及びその改変例において、折曲部１１をスタッド３の外側から内側へ向けて貫通孔３ｂに挿通させたが、スタッド３の内側から外側へ向けて貫通孔３ｂに挿通させてもよい。
【００４９】
最後に他の実施形態の可能性について言及する。
上記各実施形態及びこれらの各改変例において、固定部２０の中央の１カ所に水平方向変動許容機構として長孔２１を設けた。しかし、長孔２１の個数は１個に限られるものではなく、例えば図２３Ａ，２３Ｂに示す如く、対をなす長孔２１，２１を設けても構わない。これにより、スタッド３のねじれや変形をさらに強固に防止できる。但し、連結部材２９の数が増えるため施工性は低下する。なお、水平方向変動許容機構は長孔２１に限られるものではなく、層間変位量に対応可能な態様であればよい。
【００５０】
上記第一実施形態において、一対の本体フランジ１４，１４を一対のフランジ３ｃ，３ｃの内面に密接させた。しかし、スタッド３の鉛直方向Ｚへの変動を許容し且つスタッド３のねじれを抑制できる態様であれば、これに限られない。例えば、図２４（ａ）（ｂ）に示すように、本体部１０Ａをスタッド３に外嵌させて、本体ウェブ１３をウェブ３ａの外面に密接させることも可能である。係る場合、例えば本体湾曲部１４ａを先端３ｄに係合させることで、スタッド３のねじれをより強固に防止する。また、同図（ｃ）に示すように、本体部１０Ａをスタッド３に外嵌させて、本体ウェブ１３がスタッド３の開口部３ｆを跨ぐように位置させることも可能である。係る場合、例えば本体湾曲部１４ａを突出部３ｇに係合させることで、スタッド３のねじれをより強固に防止する。
【００５１】
また、上記第一実施形態において、本体部１０Ａを平面視略コの字状に形成したが、本体部の形状はこれに限られるものではない。例えば図２４（ｄ）に示す第五実施形態の如く、本体部１０を箱形に形成することも可能である。係る場合、本体部１０Ｅは、各々対向する一対の第一面状部１４ｅ１及び第二面状部１４ｅ２よりなる平面視略ロの字状を呈し、固定部２０Ｅが一対の第一、第二面状部１４ｅ１，１４ｅ２の上端に設けられている。この一対の第一面状部１４ｅ１及び第二面状部１４ｅ２が係合機構３０Ｅを構成する。これにより、スタッド３の鉛直方向Ｚへの変動を許容し且つスタッド３のねじれを抑制できる。但し、図２４の態様は、本体部１０をスタッド３の外側に位置させる（スタッド３に外嵌）ので、ランナー２の寸法（幅）をスタッド倒壊防止金具１に合わせて変更する必要があり、汎用性が低下する。
【００５２】
さらに、例えば、図２５（ａ）（ｂ）に示す第六実施形態の如く、本体ウェブ１３を省略した形状も可能である。係る場合、本体部１０Ｆは、固定部２０Ｆで連結された一対の板状部１４ｆ，１４ｆより、一対のフランジ３ｃ，３ｃに沿って位置させる。これにより、一対の板状部１４ｆ，１４ｆが係合機構を構成し、鉛直方向の変動を許容する。また、板状部１４ｆにクリップ部１５を設けると共に一方の側端部１４ｆａを凹部３ｅに係合（嵌入）させて、スタッド３のねじれをより強固に抑制する。さらに、図２５（ｄ）（ｅ）に示す改変例の如く、クリップ部１５を省略することも可能である。係る場合、板状部１４ｆの両側端部１４ｆａ，１４ｆｂを凹部３ｅ及び先端３ｄに係合させることで、スタッド３のねじれを抑制する。
【００５３】
さらに他の改変例として、図２５（ｆ）に示す如く、一対の板状部１４ｆ’，１４ｆ’をウェブ３ａに沿って位置させると共に開口部３ｆを跨ぐように位置させることも可能である。係る場合、固定部２０Ｆ’の端部をフランジ３ｃに密接させることでねじれの発生を抑制する。なお、上記各改変例において、スタッド３のねじれを抑制できる態様であれば、例えば同図（ｃ）（ｆ）に示す如く、板状部１４ｆの両側端部１４ｆａ，１４ｆｂを凹部３ｅ及び先端３ｄに係合させなくてもよい。
【００５４】
上記第三実施形態において、本体部１０Ｃを突出部３ｇの間に挿通してウェブ３ａの外面に密接して対向させた。しかし、スタッド３の鉛直方向Ｚへの変動を許容し且つスタッド３のねじれを抑制できる態様であれば、これに限られない。例えば、図２６に示すように、本体部１０Ｃをウェブ３ａの内面に密接して対向させても構わない。係る場合、本体部１０Ｃの側端部１４ｃを凹部３ｅに係合させることで、スタッド３のねじれを抑制する。
【００５５】
尚、本発明に係るスタッド倒壊防止金具１は、スタッド３とスライドする等、上下にフリーな状態であれば機能するので、上記各実施形態及び各改変例に限定されるものではなく、ランナーに差し込む納まりのスタッドであれば、その形状には機能的に左右されない。また、上記各実施形態及び各改変例を組み合わせることも可能である。例えば、第一実施形態の本体部１０Ａに第三実施形態のクリップ部１５を設ける態様も可能である。
【符号の説明】
【００５６】
１，１Ａ〜１Ｆ：スタッド倒壊防止金具、２：ランナー、２ａ：ウェブ、２ｂ：フランジ、３：スタッド、３ａ：ウェブ、３ｂ：貫通孔、３ｃ：フランジ、３ｄ：湾曲部（先端）、３ｅ：凹部、３ｆ：開口部、３ｇ：突出部、１０，１０Ａ〜１０Ｆ：本体部、１１：折曲部、１２：基端部、１３：本体ウェブ、１４：本体フランジ、１４ａ：本体湾曲部（先端）、１４ａ’：先端、１４ｅ１：第一面状部、１４ｅ２：第二面状部、１４ｃ：側端部、１４ｆ：板状部、１４ｆａ，１４ｆｂ：側端部、１５：クリップ部、１６：屈曲部、１７：凹部、１８：上段部、１９：下段部、２０，２０Ａ〜２０Ｆ：固定部、２１：長孔（水平方向変動許容機構）、２２：端部、２９：連結部材、３０，３０Ａ〜３０Ｆ：係合機構、１００：間仕切下地材（間仕切壁、間仕切下地構造）、Ａ：中心軸、Ｃ，Ｃ’：中心、Ｄ：差込量、Ｌ，Ｌ’距離、Ｘ：水平方向（ランナー直交方向）、Ｙ：水平方向（ランナー長手方向）、Ｚ：鉛直方向、ｈａ〜ｈｄ：高さ
【図１】
2017008713.tif 000003
【図２】
2017008713.tif 000004
【図３】
2017008713.tif 000005
【図４】
2017008713.tif 000006
【図５】
2017008713.tif 000007
【図６】
2017008713.tif 000008
【図７】
2017008713.tif 000009
【図８】
2017008713.tif 000010
【図９】
2017008713.tif 000011
【図１０】
2017008713.tif 000012
【図１１】
2017008713.tif 000013
【図１２】
2017008713.tif 000014
【図１３】
2017008713.tif 000015
【図１４】
2017008713.tif 000016
【図１５】
2017008713.tif 000017
【図１６】
2017008713.tif 000018
【図１７】
2017008713.tif 000019
【図１８】
2017008713.tif 000020
【図１９】
2017008713.tif 000021
【図２０】
2017008713.tif 000022
【図２１】
2017008713.tif 000023
【図２２】
2017008713.tif 000024
【図２３Ａ】
2017008713.tif 000025
【図２３Ｂ】
2017008713.tif 000026
【図２４】
2017008713.tif 000027
【図２５】
2017008713.tif 000028
【図２６】
2017008713.tif 000029
【図２７】
2017008713.tif 000030
【図２８】
2017008713.tif 000031